(57)【要約】本発明は、インテリジェント・ユニットのロケーション・ベース適合に関している。  本発明の目的の１つは、とりわけネットワーク・コンパチブル・インテリジェント・ユニットの場合に、本質的に他のステップを何ら必要とすることなく、信頼性が高く、かつ、安全で、したがって単純な結合を保証するために、個々のアプリケーションおよび／または個々のインストレーション・ロケーションに基づいてインテリジェント・ユニットを構成することができる方法を示すことである。  本発明によれば、インテリジェント・ユニットを適合させるために、定義済みアプリケーションおよび／または定義済みロケーションに構成デバイス（２１、２２、２４、２５）を結合することができ、また、構成デバイス（２１、２２、２４、２５）からインテリジェント・ユニット（１１、１２、１３、１４、１５）を構成するためのデータを処理するための論理デバイスへデータを送信することができるよう、アプリケーション・ベース構成データおよび／またはロケーション・ベース構成データおよび／または挙動記述データを記憶するための機能を構成デバイス（２１、２２、２４、２５）に持たせることができる。
2006510974.tif 000002
【特許請求の範囲】
【請求項１】
インテリジェント・ユニットをアプリケーションおよび／またはインストレーション・ロケーションに適合させるための方法であって、
構成デバイス（２１、２２、２４、２５）を定義済みアプリケーションおよび／または定義済みロケーション（２）に結合するステップと、
アプリケーション・ベース構成データおよび／またはロケーション・ベース構成データおよび／または挙動記述データを、前記インテリジェント・ユニットを構成するためのデータを処理するために前記構成デバイス（２１、２２、２４、２５）から論理デバイスへデータを送信することができる方法で前記構成デバイス（２１、２２、２４、２５）に記憶させるステップとを含む方法。
【請求項２】
前記インテリジェント・ユニットを構成するためのデータを処理するための前記関連する論理デバイスを前記インテリジェント・ユニット（１１、１２、１３、１４、１５）に準備するステップと、
前記定義済みアプリケーションおよび／または前記定義済みロケーション（２）を備えたシステムに前記インテリジェント・ユニットを結合するステップと、
前記構成デバイス（２１、２２、２４、２５）に前記インテリジェント・ユニットを接続するステップと、前記構成デバイス（２１、２２、２４、２５）から前記論理デバイスへ前記データを送信するステップとをさらに含む、請求項１に記載の方法。
【請求項３】
さらに、前記インテリジェント・ユニット（１１、１２、１３、１４、１５）からのデータが前記構成デバイス（２１、２２、２４、２５）へ送信され、かつ、前記構成デバイス（２１、２２、２４、２５）で記憶される、請求項１または２に記載の方法。
【請求項４】
さらに、データの突合せが、前記インテリジェント・ユニット（１１、１２、１３、１４、１５）と前記構成デバイス（２１、２２、２４、２５）の間で実施される、請求項１、２または３のいずれか１項に記載の方法。
【請求項５】
さらに、前記インテリジェント・ユニット（１１、１２、１３、１４、１５）がネットワーク内に包含される、請求項１乃至４のいずれか１項に記載の方法。
【請求項６】
さらに、前記アプリケーション・ベース構成データおよび／またはロケーション・ベース構成データおよび／または挙動記述データの記憶および／または送信が単一のステップとして実施され、あるいは反復可能ステップとして実施される、請求項１乃至５のいずれか１項に記載の方法。
【請求項７】
さらに、前記アプリケーション・ベース構成データおよび／またはタイプ・ベース構成データおよび／または挙動記述データの記憶および／または送信が安全に実施される、請求項１乃至６のいずれか１項に記載の方法。
【請求項８】
請求項１乃至７のいずれか１項に記載の方法を実施するための装置。
【請求項９】
前記インテリジェント・ユニット（１１、１２、１３、１４、１５）を構成するためのデータを処理するための関連する論理デバイスを備えたインテリジェント・ユニット（１１、１２、１３、１４、１５）と、
定義済みアプリケーションおよび／または定義済みロケーション（２）に結合される、アプリケーション・ベース構成データおよび／またはロケーション・ベース構成データおよび／または挙動記述データを記憶するための構成デバイス（２１、２２、２４、２５）とを備え、
少なくとも前記構成デバイス（２１、２２、２４、２５）から前記論理デバイスへデータを送信することができる方法で前記インテリジェント・ユニット（１１、１２、１３、１４、１５）および前記構成デバイス（２１、２２、２４、２５）を互いに接続することができる、請求項８に記載の装置。
【請求項１０】
定義済みアプリケーションおよび／または定義済みロケーション（２）に結合することができる、アプリケーション・ベース構成データおよび／またはロケーション・ベース構成データおよび／または挙動記述データを記憶するための構成デバイス（２１、２２、２４、２５）を備え、
少なくとも前記構成デバイス（２１、２２、２４、２５）から前記論理デバイスへデータを送信することができる方法で、インテリジェント・ユニット（１１、１２、１３、１４、１５）を構成するためのデータを処理するための論理デバイスに前記構成デバイス（２１、２２、２４、２５）を接続することができる、請求項８に記載の装置。
【請求項１１】
前記インテリジェント・ユニット（１１、１２、１３、１４、１５）を構成するためのデータを処理するための関連する論理デバイスを備えたインテリジェント・ユニット（１１、１２、１３、１４、１５）を備え、
定義済みアプリケーションおよび／または定義済みロケーション（２）に結合される、アプリケーション・ベース構成データおよび／またはロケーション・ベース構成データおよび／または挙動記述データを記憶するための構成デバイス（２１、２２、２４、２５）に、少なくとも前記構成デバイス（２１、２２、２４、２５）から前記論理デバイスへデータを送信することができる方法で前記インテリジェント・ユニット（１１、１２、１３、１４、１５）を接続することができる、請求項８に記載の装置。
【請求項１２】
さらに、前記インテリジェント・ユニット（１１、１２、１３、１４、１５）がネットワーク内に包含される、請求項８乃至１１のいずれか１項に記載の装置。
【請求項１３】
さらに、前記インテリジェント・ユニット（１１、１２、１３、１４、１５）がシステム・コンポーネントを有する、請求項８乃至１２のいずれか１項に記載の装置。
【請求項１４】
さらに、前記アプリケーション・ベース・データおよび／または前記ロケーション・ベース・データが、アドレス、コンポーネント識別、構成データおよび／または構成のためのデータからなる、請求項８乃至１３のいずれか１項に記載の装置。
【請求項１５】
さらに、前記インテリジェント・ユニット（１１、１２、１３、１４、１５）に結合される前記論理デバイスが、前記構成デバイス（２１、２２、２４、２５）にデータを送信するように設計される、請求項８乃至１４のいずれか１項に記載の装置。
【請求項１６】
さらに、前記構成デバイス（２１、２２、２４、２５）が、前記インテリジェント・ユニット（１１、１２、１３、１４、１５）に結合される前記論理デバイスからデータを受信し、かつ、記憶するように設計される、請求項８乃至１５のいずれか１項に記載の装置。
【請求項１７】
さらに、前記構成デバイス（２１、２２、２４、２５）が、前記インテリジェント・ユニット（１１、１２、１３、１４、１５）の前記結合ロケーションに永久もしくは取外し可能に接続される、請求項８乃至１６のいずれか１項に記載の装置。
【請求項１８】
さらに、前記構成デバイス（２１、２２、２４、２５）が、前記インテリジェント・ユニット（１１、１２、１３、１４、１５）を結合することができる永久配線の一部である、請求項８乃至１７のいずれか１項に記載の装置。
【請求項１９】
さらに、前記構成デバイス（２１、２２、２４、２５）が、前記インテリジェント・ユニット（１１、１２、１３、１４、１５）の前記結合ロケーション（２）に配置される、前記インテリジェント・ユニット（１１、１２、１３、１４、１５）を接続するための接続デバイスに結合される、請求項８乃至１８のいずれか１項に記載の装置。
【請求項２０】
さらに、前記構成デバイス（２１、２２、２４、２５）が、他のデータを記憶し、読み出し、かつ／または処理するように設計される、請求項８乃至１９のいずれか１項に記載の装置。
【請求項２１】
さらに、遠隔制御によって、かつ／または外部的に前記構成デバイス（２１、２２、２４、２５）のデータを変更し、読み出し、かつ／または処理することができる、請求項８乃至２０のいずれか１項に記載の装置。
【請求項２２】
さらに、前記構成デバイス（２１、２２、２４、２５）および前記インテリジェント・ユニット（１１、１２、１３、１４、１５）が、一方向および／または双方向のデータ伝送接続を準備するための、詳細にはねじ込み型コネクタおよび／または差込み型コネクタ、コンタクト・ベース接続、光接続および／または無線接続を使用した相補手段を有する、請求項８乃至２１のいずれか１項に記載の装置。
【請求項２３】
さらに、前記構成デバイス（２１、２２、２４、２５）が自動化システムのための機器として設計される、請求項８乃至２２のいずれか１項に記載の装置。
【請求項２４】
さらに、前記構成デバイス（２１、２２、２４、２５）および／または前記論理デバイスが、ハードウェア・エレメントおよび／またはソフトウェア・エレメントを有する、請求項８乃至２３のいずれか１項に記載の装置。
【請求項２５】
さらに、前記構成デバイス（２１、２２、２４、２５）に結合される前記論理デバイスが、前記構成デバイスの一部もしくは前記構成デバイスに接続することができる他のデバイス、詳細には中央制御デバイスの一部である、請求項８乃至２４のいずれか１項に記載の装置。
【請求項２６】
請求項１乃至７のいずれか１項に記載の方法を実施するための、請求項８乃至２５のいずれか１項に記載の装置の使用。
【請求項２７】
請求項８乃至２５のいずれか１項に記載の少なくとも１つの装置を有するシステム。
【請求項２８】
自動化システムを動作させるための請求項２７に記載のシステム。
【発明の詳細な説明】
【技術分野】
【０００１】
本発明は、インテリジェント・ユニットを適合させるための方法および装置に関する。
【背景技術】
【０００２】
とりわけ、規格を遵守するネットワーク・システムの場合、加入者は、現在、アドレスによって慣習的にアドレスされている。この場合、加入者もしくはネットワーク・コンポーネントは、通常、必要なアドレスを、たとえば適切な機器に取り付けられたアドレス・スイッチ、あるいは加入者を接続するためのプラグに統合されたアドレス・スイッチを介して備えているか、あるいは、たとえばイーサネット（登録商標）の場合のように通し番号と結合した、適切なパラメータをダウンロードするアドレスを介して間接的に備えている。
【０００３】
しかしながら、とりわけ、機密保護もしくは安全に関連するタスク領域に直接関係し、あるいは間接的に関係するネットワーク・システムの場合、この情報は、信頼し得るアプリケーション・リファレンスおよび／またはロケーション・リファレンスを生成するには、しばしば不十分である。そのため、特化システム・コンポーネントあるいはインテリジェント・ユニットなどの機密保護加入者および安全加入者は、現在、慣習的に追加アドレスもしくは構成オプションを備えているが、詳細には加入者が一度置き換わると、これらの追加により、置換えのための定義済み命令などの処理上の障害が大きくなるか、あるいは障害が追加され、アプリケーションのｉｎ  ｓｉｔｕ試験を新しくしなければならない。
現在のところ、単純な「プラグ・アンド・プレイ」解決法を利用することはできない。
【０００４】
ドイツの公開明細書ＤＥ−Ａ  １９８  ５１  ４７３は、制御ユニット用に、あるいは制御ユニットによって機械的に接続することができるシステム・コンポーネントの符号化および検証を開示している。システム・コンポーネントの接続は、システム・コンポーネントに結合される、符号化デバイスを有するプラグ・コネクタと、制御ユニットと結合した電子回路に接続される第２のプラグ・コネクタとを使用して実施される。この開示によれば、２つのプラグが整合するため、システム・コンポーネントに結合される符号化デバイスに信号が送信され、受信信号に応答して符号化信号が起動され、識別評価のために電子回路に送り返される。
【０００５】
したがって、符号化デバイスに基づいて、制御ユニットに結合される電子回路（制御ユニット自体は、接続すべきコンポーネントに結合される）によってシステム・コンポーネントのある種のアプリケーション・ベースもしくはロケーション・ベースの検証が実施されているが、前述の単純な「プラグ・アンド・プレイ」解決法は保証されていない。また、実際、単純な「プラグ・アンド・プレイ」解決法を保証する代わりに、試行錯誤に基づく解決法が記述されている。
【特許文献１】ドイツ公開明細書ＤＥ−Ａ  １９８  ５１  ４７３
【発明の開示】
【発明が解決しようとする課題】
【０００６】
したがって本発明の目的の１つは、上で考察した問題を解決し、かつ、従来技術の欠点を克服する方法を示すことであり、とりわけネットワーク・コンパチブル・インテリジェント・ユニットの場合、本発明により、本質的に他のステップを何ら必要とすることなく、信頼性の高い延いては単純な結合を保証するために、個々のアプリケーションおよび／または個々のインストレーション・ロケーションに基づくインテリジェント・ユニットの構成が保証される。
【課題を解決するための手段】
【０００７】
本発明によれば、上記の目的は、特許請求の範囲の請求項１に記載の特徴を有する方法、請求項８に記載の特徴を有する装置および／または請求項２７に記載の特徴を有するシステムによって達成される。
有利かつ／または好ましい実施形態および開発は、個々の従属請求項の主題である。
【０００８】
したがって、本発明により、構成デバイスを定義済みアプリケーションおよび／または定義済みロケーションに結合するためのインテリジェント・ユニットの適合が提供される。構成デバイスのアプリケーション・ベース構成データおよび／またはロケーション・ベース構成データおよび／または挙動記述データを記憶することができ、それにより構成デバイスから論理デバイスへデータを送信し、インテリジェント・ユニットを構成するためのデータを処理することができる。
【０００９】
したがって本発明は、構成デバイスによって、とりわけ安全および機密保護に関連する領域において、このようなインテリジェント・ユニットのインストレーション・ロケーションと通信接続の間の信頼性の高い結合および／またはインテリジェント・ユニットの構成を初めて可能にしているため、たとえばユニットを置換する際のデータの直前の読取りが保証され、このデータが構成デバイスに記憶されるため、交換されるユニットが対応するアプリケーションにおける期待特性を依然として満足することが保証される。
【００１０】
好ましくは、本発明により、インテリジェント・ユニットを構成するためのデータを処理するための関連する論理デバイスを備えたインテリジェント・ユニットが提供され、このインテリジェント・ユニットが、定義済みアプリケーションおよび／または定義済みロケーションに基づいて適切な方法でシステムに結合され、かつ、構成デバイスからインテリジェント・ユニットに結合される論理デバイスへデータを送信するために構成デバイスに接続される。
【００１１】
したがって、アプリケーションおよび／またはインテリジェント・ユニットの接続ポイントに構成デバイスが結合され、かつ、関連する論理デバイスに基づいて、アプリケーションもしくはロケーションに基づいてインテリジェント・ユニットを構成するための適切な構成データおよび／または挙動記述データがインテリジェント・ユニットに提供されるため、インストレーション・ロケーション、インテリジェント・ユニットの特性およびインテリジェント・ユニットの応答との間の接続が保証される。
【００１２】
したがって、本発明による好ましい特定の開発の１つでは、さらに、アドレス、コンポーネント識別、構成データおよび／または構成のための情報を構成するためのアプリケーション・ベース・データおよび／またはロケーション・ベース・データが準備されている。
【００１３】
したがって、本発明によるアプリケーション・ベース構成デバイスおよび／またはロケーション・ベース構成デバイスを介して実施されるため、個々のユニットの絶対アドレス指定は本質的に不要であり、したがってシステムおよび／または総合システムによって、安全で、かつ、高い信頼性でインテリジェント・ユニットがアドレスされ、ネットワーク・コンパチブル・コンポーネントのためのインテリジェント・ユニット間の通信接続が適切に編成される。
【００１４】
したがって、好ましい特定の開発の１つは、さらに、構成データを処理するための関連する論理デバイスを有し、かつ、定義済みアプリケーションおよび／または定義済みロケーションに結合される、少なくとも構成デバイスから論理デバイスへデータを送信するためにアプリケーション・ベース・データおよび／またはロケーション・ベース・データを記憶するための構成デバイスに接続することができるインテリジェント・ユニットを、好ましくはネットワーク内に包含することができることを提案している。しかしながら、有利には、インテリジェント・ユニットのアプリケーション・ベース特性および／またはロケーション・ベース特性の本発明による適合は、ネットワーク・コンパチブル・コンポーネントに対してだけではなく、ネットワーク・コンパチブルではないコンポーネントに対しても保証される。
【００１５】
他の好ましい実施形態では、定義済みアプリケーションおよび／または定義済みロケーションに結合することができる構成デバイスが適合され、かつ、関連する論理デバイスを有するインテリジェント・ユニットに、該インテリジェント・ユニットのデータがさらに構成デバイスに送信され、かつ、構成デバイスに記憶される方法で接続することができる。したがって構成デバイスは、さらに、インテリジェント・ユニットに結合され、かつ／または構成デバイスにデータを送信するように設計されているインテリジェント・ユニットに結合される論理デバイスに結合される論理デバイスからデータを受信し、かつ、記憶するように本質的に設計されている。
【００１６】
なかんずく好ましい実施形態によれば、とりわけ構成デバイスが特定のアプリケーションに応じて他のデータを記憶し、読み出し、かつ／または処理するように設計されている場合、インテリジェント・ユニットと構成デバイスの間で極めて単純な方法でデータを突き合わせることが可能であり、たとえば遅延時間情報を包含するための機能を追加することができる。
【００１７】
なかんずく好ましい開発の１つは、さらに、たとえばアップロード・プロセスもしくはダウンロード・プロセスを本質的に入／出力装置毎に極めて単純な方法で実施するための極めて単純な方法でのデータ・アクセスを保証するために、遠隔制御によって、かつ／または外部でさらに構成デバイスのデータを交換し、読み出し、かつ／または処理することができることを提案している。
【００１８】
本発明を汎用性のある方法で使用することができるよう、本発明の実際的な開発の１つは、さらに、詳細には選択可能な時間インターバルの経過後における構成データの更新もしくは適合を保証するために、アプリケーション・ベース構成データおよび／またはロケーション・ベース構成データの記憶および／または送信を、詳細にはインテリジェント・ユニットの包含および／または置換後に本質的に１回実施するステップ、および／または２回以上実施するステップを提供している。
【００１９】
その場合、有利な一実施形態では、アプリケーション・ベース構成データおよび／またはロケーション・ベース構成データの記憶および／または送信は、たとえばＣＲＣ方式（周期的冗長検査）を使用して保護された形で実施される。
【００２０】
アプリケーション特化の観点から有利な一実施形態では、詳細には自動化システムおよび／またはインテリジェント・ユニットのための機器としての構成デバイスは、したがってシステム・コンポーネントを有しており、その場合、本発明による構成データおよび／または構成データを処理するための論理デバイスの準備は、アプリケーション特化ハードウェアおよび／またはプロダクション特化ハードウェアおよび／またはソフトウェア・エレメントからなっている。
【００２１】
また、好ましくは、本発明により、インテリジェント・ユニットの結合ロケーションに永久もしくは取外し可能に接続される構成デバイスが提供され、最も単純な形態の、たとえばインテリジェント・ユニットのロケーション・ベース機能および／またはアプリケーション・ベース機能に関連するデータを有するバー・コードを備えた、結合ロケーションに配置されるラベルが、自己の権利において十分である。他の有利な提案によれば、インテリジェント・ユニットを結合することができる永久配線の一部として構成デバイスを設計することができ、かつ／またはインテリジェント・ユニットを接続するためにインテリジェント・ユニットの結合ロケーションに配置される接続デバイスに構成デバイスを結合することができる。
【００２２】
いずれの場合においても、構成デバイスとインテリジェント・ユニットおよび／または論理デバイスの間を接続するための相補手段が提供され、一方向および／または双方向のデータ伝送接続が保証されることが好ましく、その場合、本発明により、この事例では好ましくは光コネクタおよび／または無線コネクタを備えた相補手段が提供される。有利な一実施形態では、アプリケーション特化ベースのコンタクト・ベース・コネクタ、ねじ込み型コネクタもしくは差込み型コネクタがさらに提案されている。
【００２３】
この場合、有利には、本発明は、構成デバイスに結合される論理デバイスがその構成デバイスの一部であり、あるいはその構成デバイスに接続することができる他のデバイス、詳細には中央制御デバイスの一部であるアプリケーション特化実施形態を提案している。
【００２４】
また、本発明には、本発明による方法を実施するための本発明による装置、および本発明による少なくとも１つの装置、詳細には自動化システムを動作させるための装置を有するシステムの使用が包含されている。
以下、本発明について、好ましい一例示的実施形態を使用した以下の本文の中で、添付の図面を参照してより詳細に説明する。
【発明を実施するための最良の形態】
【００２５】
本発明に必須の、自動化システムを動作させるための標準ネットワーク・システムのエレメントについて、図１を参照して極めて簡易化した方法で説明する。
【００２６】
詳細には、図１には、ネットワーク内における定義済みアプリケーションおよび／または定義済みポジションを意図した多数のインテリジェント・ユニット１１、１２、１３、１４および１５が示されている。たとえば、図１に参照記号１２で示すインテリジェント・ユニット２には、参照記号２で示すアプリケーション・ロケーションが意図されている。
【００２７】
したがってインテリジェント・ユニット１１、１２、１３、１４および１５は、センサおよび／またはアクチュエータなどのシステム特化システム・コンポーネントを個々に有しており、また、図にはこれ以上詳細には示されていないが、構成のためのデータを処理するための関連する論理デバイスを有している。
【００２８】
このインテリジェント・ユニット２を高い信頼性でアドレス指定し、延いては個々のインテリジェント・ユニット１１、１２、１３、１４および１５間の通信接続を編成するために、アプリケーション・ロケーション２は、図１に参照記号２２で示す関連する構成デバイス、いわゆるマーカを有しており、この中にアプリケーション・ベース構成データおよび／またはロケーション・ベース構成データが記憶されている。このようなマーカ２１、２４および２５は、対応する方法で、他のインテリジェント・ユニット１１、１４および１５のアプリケーション・ロケーションに、匹敵する方法で配置されており、個々のアプリケーションもしくは個々のアプリケーション・ロケーションに特化されたデータを有している。
【００２９】
詳細には、このような対応するマーカ２１、２２、２４もしくは２５を介して、保護通信および／または機器識別ためのアドレスなどの機器番号が、対応するインテリジェント・ユニット１１、１２、１４もしくは１５に割り当てられる。したがって機器番号は、接続すべき機器あるいは包含すべきインテリジェント・ユニットの永久特性を表している。別法あるいは追加として、本発明により、このようなマーカ２１、２２、２４もしくは２５を介して実施すべきアプリケーション・ロケーション特化機器構成プロセス、つまり、接続すべきインテリジェント・ユニットの可変特性を本質的にそれらにリンクするための、たとえば期待挙動および／または接続すべきインテリジェント・ユニットの機能を記述するために、マーカによってアプリケーション・ロケーション特化データを予め決定するプロセスなどが提供される。
【００３０】
したがって、この実施例の場合、マーカ２１、２２、２４もしくは２５は、たとえば要求に応じてスイッチあるいは回路を介したハードウェアによって予め決定することができ、かつ／またはソフトウェアによって予め決定することができる固定構成もしくはロード可能構成をアプリケーション特化ベースで備えている。
【００３１】
マーカ２１、２２、２４もしくは２５で示す本発明による構成デバイスは、アプリケーション・ロケーションに、たとえばアプリケーション・ロケーションの永久配線の一部として永久接続されることが好ましいが、アプリケーションに応じて、たとえばプラグ接続もしくはねじ接続を介して交換することができるようにアプリケーション・ロケーションに接続される、本発明による構成デバイスを提供することも可能である。
【００３２】
図１の両矢印で識別されるいずれの場合においても、インテリジェント・ユニットへの接続自体は、この場合、少なくとも対応する論理デバイスに、詳細にはコンタクト・ベースに基づいてデータを送信するための電気接続を生成することを目的として、マーカ２１、２２、２４もしくは２５を対応するコンポーネント１１、１２、１４もしくは１５にねじ込むかあるいは差し込むことによって極めて単純な方法で実施される。
【００３３】
構成デバイスは、この目的のために、便宜上、インテリジェント・ユニットを結合するために適切に設計されたプラグを有している。
【００３４】
しかしながら、代替実施形態も、詳細には、生成されるデータの相補光コネクタおよび／または無線コネクタを介した交換に適した接続を提供している。
【００３５】
有利な極めて単純な実施形態では、マーカは、この場合、ラベルもしくはステッカの形態でアプリケーション・ロケーションに配置されており、ロケーション・ベース適合データおよび／またはアプリケーション・ベース適合データを有するバー・コードを読取り装置を使用して走査することができる。
【００３６】
したがって、本発明による構成デバイスは、必ず１つのインテリジェント・ユニットのアプリケーション・ロケーションに結合され、かつ、アドレス、機器識別、ロケーション・ベース機能および／またはアプリケーション・ベース機能に関連するデータおよび／または構成もしくは構成データおよび／またはそれらの部品に関する情報などの必要なデータをすべて含んでおり、したがってインテリジェント・ユニットは、たとえば、インテリジェント・ユニット自身の構成に必要なアドレスを読み出し、かつ／またはマーカから構成情報を読み出し、かつ／または好ましくは、データを突き合わせるための情報および／またはデータを構成デバイスに送信する。
【００３７】
したがって、構成デバイスおよび／またはインテリジェント・ユニットは、アップロード・プロセスおよび／またはダウンロード・プロセスの両方を２つのユニット間で実施することができるよう、有利に設計されている。置換する場合、つまりインテリジェント・ユニット１１、１２、１３、１４もしくは１５を置き換える場合、対応するマーカ２１、２２、２４もしくは２５は、したがってアプリケーション・ロケーションを維持し、置換後の新しいインテリジェント・ユニットに適切に接続される。したがって、ロケーション・ベース通信およびコンポーネント特性は、アプリケーション特化の性質に対する追加アクションを何ら必要とすることなく、置換されたユニットに対するマーカを介して整合する。したがって、追加アクション、たとえばエンジニアリング環境を介した置換ユニットの構成は一切不要である。したがって、データ突合せプロセスが一度実施されると、置換されたコンポーネントが依然として期待特性、詳細には所望の技術機能および／または個々のアプリケーションにおけるコンポーネントの構成を提供するため、信頼性の高いオペレーションを自動的に開始することができ、インストレーション・ロケーション、コンポーネントの特性およびコンポーネントの応答の間の接続が依然として保証される。
【００３８】
この場合、有利には、このデータは、たとえばＣＲＣ方式を使用して保護された形で記憶および／または送信される。したがって本発明は、インテリジェント・ユニット、つまり処理論理を備えたセンサもしくはアクチュエータなどの本質的にインテリジェント・システム・コンポーネントのロケーション・ベースの構成を保証し、延いては、詳細には安全環境もしくは機密保護環境で保証すべき要求事項を表しているアプリケーションおよび／または定義済みインストレーション・ロケーションとの結合を保証している。つまり、本発明による装置あるいは本発明による方法は、このようなインテリジェント・ユニットのインストレーション・ロケーションと通信接続の間の信頼性の高い結合および／またはこれらコンポーネントの構成を可能にしており、これは、ネットワーク・コンパチブル・ユニット間の信頼性の高い通信のための主要な条件であることを意味している。
【００３９】
しかしながら、インテリジェント・ユニットの特性の保証は、ネットワーク・コンパチブルではないインテリジェント・ユニットにも提供されることに言及しておく。また、本発明には、さらに、処理論理が、関連するインテリジェント・ユニットと対話する他のユニット、たとえば中央制御ユニットの一部である実施形態が包含されている。
【００４０】
また、本発明により、他の情報を有利な方法で、つまり、たとえばその遅延時間情報を記憶し、かつ、読み出すことができる方法で記憶するための機能を補助的に持たせるための構成デバイスが提供される。
【００４１】
また、本発明には、構成デバイスに記憶されているデータを変更することができ、読み出すことができ、かつ／または他の何らかの方法で処理することができる、詳細には遠隔制御によってさらに処理することができ、かつ／または、たとえば適切な処理論理を備えた分散割当てユニットによって外部的にさらに処理することができる実施形態が包含されている。
【００４２】
また、本発明は、たとえば選択可能もしくは定義済み時間インターバルの経過後におけるインテリジェント・ユニットの構成データの更新あるいは適合を保証するために、アプリケーション・ベース・データおよび／またはロケーション・ベース・データの個々の記憶および／または読出しが、単一プロセスとして、つまり、詳細にはインテリジェント・ユニットの包含および／または置換え後に実施され、かつ／または好ましくは反復可能プロセスとして実施される方法で、アプリケーション特化ベースで使用することができる。
【００４３】
したがって、本発明によって提供される「プラグ・アンド・プレイ」解決法は、たとえばイーサネット（登録商標）を含む本質的にすべてのネットワーク・システムに実際的な方法で使用することができ、また、この解決法により、インテリジェント処理論理を有する本質的にすべての入／出力ユニットを簡単にリンクさせることができ、かつ、高い信頼性でアドレス指定することができる。
【００４４】
以上、本発明について、自動化システムの使用を参照して説明したが、本発明の他の好ましいアプリケーション分野は、詳細には個人輸送技術および建築制御技術の分野に関していることにも留意されたい。
【図面の簡単な説明】
【００４５】
【図１】そのロケーションをベースとして適合させるためにそれぞれインテリジェント・ユニットに接続される本発明による複数の構成デバイスを備えた自動化システムを動作させるためのシステムを極めて簡略化して示す概略図である。
【図１】
2006510974.tif 000003
【手続補正書】
【提出日】平成17年7月28日(2005.7.28)
【手続補正１】
【補正対象書類名】特許請求の範囲
【補正対象項目名】全文
【補正方法】変更
【補正の内容】
【特許請求の範囲】
【請求項１】
インテリジェント・ユニットをアプリケーションおよび／またはインストレーション・ロケーションに適合させるための方法であって、該方法は、
構成デバイス（２１、２２、２４、２５）を定義済みアプリケーションおよび／または定義済みロケーション（２）に結合するステップを含み、前記構成デバイス（２１、２２、２４、２５）が、前記インテリジェント・ユニットの前記結合ロケーションに永久もしくは取外し可能に接続されており、前記方法はさらに、
アプリケーション・ベース構成データおよび／またはロケーション・ベース構成データおよび／または挙動記述データを、前記インテリジェント・ユニット（１１、１２、１３、１４、１５）を適合させるために、前記インテリジェント・ユニットを構成するためのデータを処理するために前記構成デバイス（２１、２２、２４、２５）から論理デバイスへデータを送信することができる方法で前記構成デバイス（２１、２２、２４、２５）に記憶させるステップとを含む方法。
【請求項２】
前記インテリジェント・ユニットを構成するためのデータを処理するための前記関連する論理デバイスを前記インテリジェント・ユニット（１１、１２、１３、１４、１５）に準備するステップと、
前記定義済みアプリケーションおよび／または前記定義済みロケーション（２）を備えたシステムに前記インテリジェント・ユニットを結合するステップと、
前記構成デバイス（２１、２２、２４、２５）に前記インテリジェント・ユニットを接続するステップと、前記構成デバイス（２１、２２、２４、２５）から前記論理デバイスへ前記データを送信するステップとをさらに含む、請求項１に記載の方法。
【請求項３】
さらに、前記インテリジェント・ユニット（１１、１２、１３、１４、１５）からのデータが前記構成デバイス（２１、２２、２４、２５）へ送信され、かつ、前記構成デバイス（２１、２２、２４、２５）で記憶される、請求項１または２に記載の方法。
【請求項４】
さらに、データの突合せが、前記インテリジェント・ユニット（１１、１２、１３、１４、１５）と前記構成デバイス（２１、２２、２４、２５）の間で実施される、請求項１、２または３のいずれか１項に記載の方法。
【請求項５】
さらに、前記インテリジェント・ユニット（１１、１２、１３、１４、１５）がネットワーク内に包含される、請求項１乃至４のいずれか１項に記載の方法。
【請求項６】
さらに、前記アプリケーション・ベース構成データおよび／またはロケーション・ベース構成データおよび／または挙動記述データの記憶および／または送信が単一のステップとして実施され、あるいは反復可能ステップとして実施される、請求項１乃至５のいずれか１項に記載の方法。
【請求項７】
さらに、前記アプリケーション・ベース構成データおよび／またはタイプ・ベース構成データおよび／または挙動記述データの記憶および／または送信が安全に実施される、請求項１乃至６のいずれか１項に記載の方法。
【請求項８】
請求項１乃至７のいずれか１項に記載の方法を実施するための装置。
【請求項９】
前記インテリジェント・ユニット（１１、１２、１３、１４、１５）を構成するためのデータを処理するための関連する論理デバイスを備えたインテリジェント・ユニット（１１、１２、１３、１４、１５）と、
定義済みアプリケーションおよび／または定義済みロケーション（２）に結合され、かつ前記インテリジェント・ユニット（１１、１２、１３、１４、１５）の前記結合ロケーションに永久もしくは取外し可能に接続される、アプリケーション・ベース構成データおよび／またはロケーション・ベース構成データおよび／または挙動記述データを記憶するための構成デバイス（２１、２２、２４、２５）とを備え、
インテリジェント・ユニットを前記アプリケーションおよび／またはロケーションに適合させるために、少なくとも前記構成デバイス（２１、２２、２４、２５）から前記論理デバイスへデータを送信することができる方法で前記インテリジェント・ユニット（１１、１２、１３、１４、１５）および前記構成デバイス（２１、２２、２４、２５）を互いに接続することができる、請求項８に記載の装置。
【請求項１０】
インテリジェント・ユニット（１１、１２、１３、１４、１５）の定義済みアプリケーションおよび／または定義済みロケーション（２）に結合することができ、かつ前記インテリジェント・ユニット（１１、１２、１３、１４、１５）の前記結合ロケーションに永久もしくは取外し可能に接続できる、アプリケーション・ベース構成データおよび／またはロケーション・ベース構成データおよび／または挙動記述データを記憶するための構成デバイス（２１、２２、２４、２５）を備え、
少なくとも前記構成デバイス（２１、２２、２４、２５）から前記論理デバイスへデータを送信することができる方法で、インテリジェント・ユニット（１１、１２、１３、１４、１５）を構成するためのデータを処理するための論理デバイスに前記構成デバイス（２１、２２、２４、２５）を接続することができる、請求項８に記載の装置。
【請求項１１】
前記インテリジェント・ユニット（１１、１２、１３、１４、１５）を構成するためのデータを処理するための関連する論理デバイスを備えたインテリジェント・ユニット（１１、１２、１３、１４、１５）を備え、
前記インテリジェント・ユニットの定義済みアプリケーションおよび／または定義済みロケーション（２）に結合され、かつ前記インテリジェント・ユニット（１１、１２、１３、１４、１５）の前記結合ロケーションに永久もしくは取外し可能に接続される、アプリケーション・ベース構成データおよび／またはロケーション・ベース構成データおよび／または挙動記述データを記憶するための構成デバイス（２１、２２、２４、２５）に、前記インテリジェント・ユニットを前記アプリケーションおよび／またはロケーションに適合させるために、少なくとも前記構成デバイス（２１、２２、２４、２５）から前記論理デバイスへデータを送信することができる方法で前記インテリジェント・ユニット（１１、１２、１３、１４、１５）を接続することができる、請求項８に記載の装置。
【請求項１２】
さらに、前記インテリジェント・ユニット（１１、１２、１３、１４、１５）がネットワーク内に包含される、請求項８乃至１１のいずれか１項に記載の装置。
【請求項１３】
さらに、前記インテリジェント・ユニット（１１、１２、１３、１４、１５）がシステム・コンポーネントを有する、請求項８乃至１２のいずれか１項に記載の装置。
【請求項１４】
さらに、前記アプリケーション・ベース・データおよび／または前記ロケーション・ベース・データが、アドレス、コンポーネント識別、構成データおよび／または構成のためのデータからなる、請求項８乃至１３のいずれか１項に記載の装置。
【請求項１５】
さらに、前記インテリジェント・ユニット（１１、１２、１３、１４、１５）に結合される前記論理デバイスが、前記構成デバイス（２１、２２、２４、２５）にデータを送信するように設計される、請求項８乃至１４のいずれか１項に記載の装置。
【請求項１６】
さらに、前記構成デバイス（２１、２２、２４、２５）が、前記インテリジェント・ユニット（１１、１２、１３、１４、１５）に結合される前記論理デバイスからデータを受信し、かつ、記憶するように設計される、請求項８乃至１５のいずれか１項に記載の装置。
【請求項１７】
さらに、前記構成デバイス（２１、２２、２４、２５）が、前記インテリジェント・ユニット（１１、１２、１３、１４、１５）を結合することができる永久配線の一部である、請求項８乃至１６のいずれか１項に記載の装置。
【請求項１８】
さらに、前記構成デバイス（２１、２２、２４、２５）が、前記インテリジェント・ユニット（１１、１２、１３、１４、１５）の前記結合ロケーション（２）に配置される、前記インテリジェント・ユニット（１１、１２、１３、１４、１５）を接続するための接続デバイスに結合される、請求項８乃至１７のいずれか１項に記載の装置。
【請求項１９】
さらに、前記構成デバイス（２１、２２、２４、２５）が、他のデータを記憶し、読み出し、かつ／または処理するように設計される、請求項８乃至１８のいずれか１項に記載の装置。
【請求項２０】
さらに、遠隔制御によって、かつ／または外部的に前記構成デバイス（２１、２２、２４、２５）のデータを変更し、読み出し、かつ／または処理することができる、請求項８乃至１９のいずれか１項に記載の装置。
【請求項２１】
さらに、前記構成デバイス（２１、２２、２４、２５）および前記インテリジェント・ユニット（１１、１２、１３、１４、１５）が、一方向および／または双方向のデータ伝送接続を準備するための、詳細にはねじ込み型コネクタおよび／または差込み型コネクタ、コンタクト・ベース接続、光接続および／または無線接続を使用した相補手段を有する、請求項８乃至２０のいずれか１項に記載の装置。
【請求項２２】
さらに、前記構成デバイス（２１、２２、２４、２５）が自動化システムのための機器として設計される、請求項８乃至２１のいずれか１項に記載の装置。
【請求項２３】
さらに、前記構成デバイス（２１、２２、２４、２５）および／または前記論理デバイスが、ハードウェア・エレメントおよび／またはソフトウェア・エレメントを有する、請求項８乃至２２のいずれか１項に記載の装置。
【請求項２４】
さらに、前記構成デバイス（２１、２２、２４、２５）に結合される前記論理デバイスが、前記構成デバイスの一部もしくは前記構成デバイスに接続することができる他のデバイス、詳細には中央制御デバイスの一部である、請求項８乃至２３のいずれか１項に記載の装置。
【請求項２５】
請求項１乃至７のいずれか１項に記載の方法を実施するための、請求項８乃至２４のいずれか１項に記載の装置の使用。
【請求項２６】
請求項８乃至２４のいずれか１項に記載の少なくとも１つの装置を有するシステム。
【請求項２７】
自動化システムを動作させるための請求項２６に記載のシステム。
【国際調査報告】
2006510974.tif 000004
2006510974.tif 000005
2006510974.tif 000006
2006510974.tif 000007
2006510974.tif 000008
2006510974.tif 000009